(57)【要約】【課題】  本発明は、生産効率が高く優れた圧電性を有する圧電センサを提供する。【解決手段】  本発明の圧電センサは、圧電シートの一面に第一グランド電極が積層一体化されていると共に、上記圧電シートの他面にシグナル電極及び第二グランド電極がこの順序で積層一体化されてなる圧電センサであって、シグナル電極シートの端面と第二グランド電極シートの端面とが交差する部分において、シグナル電極シートと第二グランド電極シートとの間に電気絶縁シートを介在させていることを特徴とする。【選択図】  図１
2015017855.tif 000002
【特許請求の範囲】
【請求項１】
圧電シートの一面に第一グランド電極が積層一体化されていると共に、上記圧電シートの他面にシグナル電極及び第二グランド電極がこの順序で積層一体化されてなる圧電センサであって、上記第一グランド電極は、電気絶縁シート上に第一グランド電極及び固定剤層がこの順序で積層一体化されてなる第一グランド電極シートを上記固定剤層により上記圧電シートの一面に貼着一体化することによって上記圧電シートの一面に積層一体化されていると共に、上記シグナル電極は、電気絶縁シート上にシグナル電極及び固定剤層がこの順序で積層一体化されてなるシグナル電極シートを上記固定剤層により上記圧電シートの他面に貼着一体化することによって上記圧電シートの他面に積層一体化されており、更に、上記第二グランド電極は、電気絶縁シート上に第二グランド電極及び固定剤層がこの順序で積層一体化されてなる第二グランド電極シートを上記固定剤層により上記圧電シートの他面に貼着一体化することによって上記シグナル電極上に積層一体化されており、上記シグナル電極シートの端面と上記第二グランド電極シートの端面とが交差する部分において、上記シグナル電極シートと上記第二グランド電極シートとの間に電気絶縁シートを介在させていることを特徴とする圧電センサ。
【請求項２】
シグナル電極シートは、一面に離型処理がされた基板シートの離型処理面上に、粘着剤層、シグナル電極層及び電気絶縁シートがこの順序で積層一体化されてなる積層シートを上記電気絶縁シート側から基材シートに向かって切断刃により切断することによって形成されていると共に、第二グランド電極シートは、一面に離型処理がされた基板シートの離型処理面上に、粘着剤層、第二グランド電極層及び電気絶縁シートがこの順序で積層一体化されてなる積層シートを上記電気絶縁シート側から基材シートに向かって切断刃により切断することによって形成されていることを特徴とする請求項１に記載の圧電センサ。
【請求項３】
シグナル電極シート及び第二グランド電極シートには切欠き部が形成されており、シグナル電極シート及び第二グランド電極シートの切欠き部の辺縁同士が交差しており、この交差部分において、上記シグナル電極シートと上記第二グランド電極シートとの間に電気絶縁シートを介在させていることを特徴とする請求項１又は請求項２に記載の圧電センサ。
【発明の詳細な説明】
【技術分野】
【０００１】
本発明は、生産効率が高く且つ優れた圧電性を有する圧電センサに関する。
【背景技術】
【０００２】
圧電シートをセンサとして用いた生体信号センサが知られている。脈波、呼吸、体動により発生する圧力が圧電シートに加わると、圧電シートから圧力に応じた大きさの電気信号が発生し、この電気信号を利用して生体信号を検出することができる。
【０００３】
特許文献１には、高分子材料からなる圧電体と、前記圧電体の一方の側に配置され、第１の絶縁体にシグナル電極を担持した第１の電極担持部と、前記圧電体の他方の側に配置され、第２の絶縁体にグランド電極を担持した第２の電極担持部とを備え、前記圧電体と前記第１の電極担持部と前記第２の電極担持部との重ね方向視において、前記シグナル電極が前記圧電体の領域内に収まり、且つ、前記圧電体全体が前記グランド電極の領域内に収まるかあるいは前記グランド電極の領域に重なり合うよう配置してある圧電センサが開示されている。
【０００４】
上記圧電センサは、これを構成している部材同士を一体化させるにあたって、溶剤を含む粘着剤を圧電シート、グランド電極又はシグナル電極に塗布した後に乾燥させることによって溶剤を除去して部材同士を一体化していることから、溶剤を蒸発、除去させるための乾燥時間を要し生産効率が低いという問題点を有する。
【先行技術文献】
【特許文献】
【０００５】
【特許文献１】特許第５０４４１９６号公報
【発明の概要】
【発明が解決しようとする課題】
【０００６】
本発明は、生産効率が高く且つ優れた圧電性を有する圧電センサを提供する。
【課題を解決するための手段】
【０００７】
本発明の圧電センサは、圧電シートの一面に第一グランド電極が積層一体化されていると共に、上記圧電シートの他面にシグナル電極及び第二グランド電極がこの順序で積層一体化されてなる圧電センサであって、上記第一グランド電極は、電気絶縁シート上に第一グランド電極及び固定剤層がこの順序で積層一体化されてなる第一グランド電極シートを上記固定剤層により上記圧電シートの一面に貼着一体化することによって上記圧電シートの一面に積層一体化されていると共に、上記シグナル電極は、電気絶縁シート上にシグナル電極及び固定剤層がこの順序で積層一体化されてなるシグナル電極シートを上記固定剤層により上記圧電シートの他面に貼着一体化することによって上記圧電シートの他面に積層一体化されており、更に、上記第二グランド電極は、電気絶縁シート上に第二グランド電極及び固定剤層がこの順序で積層一体化されてなる第二グランド電極シートを上記固定剤層により上記圧電シートの他面に貼着一体化することによって上記シグナル電極上に積層一体化されており、上記シグナル電極シートの端面と上記第二グランド電極シートの端面とが交差する部分において、上記シグナル電極シートと上記第二グランド電極シートとの間に電気絶縁シートを介在させていることを特徴とする。
【０００８】
上記圧電センサにおいて、シグナル電極シートは、一面に離型処理がされた基板シートの離型処理面上に、粘着剤層、シグナル電極層及び電気絶縁シートがこの順序で積層一体化されてなる積層シートを上記電気絶縁シート側から基材シートに向かって切断刃により切断することによって形成されていると共に、第二グランド電極シートは、一面に離型処理がされた基板シートの離型処理面上に、粘着剤層、第二グランド電極層及び電気絶縁シートがこの順序で積層一体化されてなる積層シートを上記電気絶縁シート側から基材シートに向かって切断刃により切断することによって形成されていることを特徴とする。
【０００９】
上記圧電センサにおいて、シグナル電極シート及び第二グランド電極シートには切欠き部が形成されており、シグナル電極シート及び第二グランド電極シートの切欠き部の辺縁同士が交差しており、この交差部分において、上記シグナル電極シートと上記第二グランド電極シートとの間に電気絶縁シートを介在させていることを特徴とする。
【発明の効果】
【００１０】
本発明の圧電センサは、上述の如き構成を有していることから、圧電シートに、シグナル電極シート及び第一、第二グランド電極シートを貼着一体化するという簡単な工程によって効率良く製造することができる。
【００１１】
更に、本発明の圧電センサは、シグナル電極シートの端面と第二グランド電極シートの端面とが交差する部分において、シグナル電極シートと第二グランド電極シートとの間に電気絶縁シートを介在させているので、シグナル電極と第二グランド電極とが不測に短絡を生じるようなことはなく、圧電シートにて発生した電位を安定的にシグナル電極を通じて取り出すことができる。
【図面の簡単な説明】
【００１２】
【図１】本発明の圧電センサを示した平面図。
【図２】図１のII−II線断面図。
【図３】図１のIII−III線断面図
【図４】本発明の圧電センサを示した分解斜視図。
【図５】本発明の圧電センサを示した斜視図。
【図６】グランド電極シートの製造要領を示した斜視図。
【図７】グランド電極シートの製造要領を示した断面図。
【図８】シグナル電極シートの製造要領を示した斜視図。
【図９】シグナル電極シートの製造要領を示した断面図。
【発明を実施するための形態】
【００１３】
本発明の圧電センサの一例を図面を参照しながら説明する。圧電センサＡは、図１〜５に示したように、圧電シート１と、この圧電シート１の一面に積層一体化された第一グランド電極21と、圧電シート１の他面に積層一体化されたシグナル電極31と、上記シグナル電極31上に積層一体化された第二グランド電極41とを有している。
【００１４】
圧電シート１としては、外力が加えられることによって電荷を発生させることができるシートであれば、特に限定されず、例えば、合成樹脂シート（合成樹脂発泡シート又は合成樹脂非発泡シート）に分極を付与した圧電シート、無機系圧電材料を樹脂に分散させた無機系シートに分極を付与した圧電シート、無機系圧電材料を含む無機系シートに分極を付与した圧電シートが挙げられ、脈波などの微弱な生体信号を精度良く検出でき、感度が高く、厚み方向の変形で電荷を発生しやすいことから、合成樹脂シート（合成樹脂発泡シート又は合成樹脂非発泡シート）に分極を付与した圧電シートが好ましく、合成樹脂発泡シートに分極を付与した圧電シートがより好ましい。
【００１５】
合成樹脂シートを構成する合成樹脂としては、特に限定されず、例えば、ポリエチレン系樹脂、ポリプロピレン系樹脂などのポリオレフィン系樹脂、ポリフッ化ビニリデン、ポリ乳酸、液晶樹脂などが挙げられる。無機系シートを構成する無機材料としては、例えば、チタン酸ジルコン酸鉛、チタン酸鉛、ニオブ酸カリウム、ニオブ酸リチウム、タンタル酸リチウム、タングステン酸ナトリウム、酸化亜鉛、リチウムテトラボレート、Ｂａ2ＮａＮｂ5Ｏ5，Ｐｂ2ＫＮｂ5Ｏ15などが挙げられる。
【００１６】
合成樹脂シート又は無機系シートに分極を付与する方法としては、特に限定されず、例えば、（１）合成樹脂シート又は無機系シートを一対の平板電極で挟持し、帯電させたい表面に接触させている平板電極を高圧直流電源に接続すると共に他方の平板電極をアースし、合成樹脂シート又は無機系シートに直流又はパルス状の高電圧を印加して合成樹脂又は無機材料に電荷を注入して合成樹脂シート又は無機系シートに分極を付与する方法、（２）電子線、Ｘ線などの電離性放射線や紫外線を合成樹脂シート又は無機系シートの表面に照射して、合成樹脂シート又は無機系シートの近傍部の空気分子をイオン化することによって合成樹脂又は無機系シートに分極を付与する方法、（３）合成樹脂シート又は無機系シートの一面に、アースされた平板電極を密着状態に重ね合わせ、合成樹脂シート又は無機系シートの他面側に所定間隔を存して直流の高圧電源に電気的に接続された針状電極又はワイヤー電極を配設し、針状電極の先端又はワイヤー電極の表面近傍への電界集中によりコロナ放電を発生させ、空気分子をイオン化させて、針状電極又はワイヤー電極の極性により発生した空気イオンを反発させて合成樹脂又は無機系シートに分極を付与する方法などが挙げられる。
【００１７】
圧電シート１の一面には第一グランド電極21が積層一体化されている。この第一グランド電極21は、第一グランド電極シートＢを圧電シート１の一面に貼着一体化することによって圧電シート１の一面に積層一体化されている。
【００１８】
第一グランド電極シートＢは、電気絶縁シート20と第一グランド電極21と固定剤層22とがこの順序で積層一体化されており、電気絶縁シート20、第一グランド電極21及び固定剤層22が全て同一形状、同一大きさに形成されている。そして、第一グランド電極シートＢをその固定剤層22により圧電シート１の一面に貼着一体化することによって、第一グランド電極21が圧電シート１の一面に積層一体化されている。
【００１９】
第一グランド電極シートＢは下記の要領で製造される。先ず、図６及び図７に示したように、一面に離型処理が施された合成樹脂シートなどからなる基材シートB1の離型処理面B1aに、固定剤層となる粘着剤層B2と、第一グランド電極となる第一グランド電極層B3と、電気絶縁シートB4とをこの順序で互いに積層一体化させた積層シートB’を製造する。なお、基材シートB1の離型処理面B1aと、粘着剤層B2とは剥離可能に積層されている。第一グランド電極層B3と電気絶縁シートB4とは粘着剤層（図示せず）を介して積層一体化されていてもよい。
【００２０】
しかる後、電気絶縁シートB4側から基材シートB1に向かって切断刃によって所望形状に切断する。この際、基材シートB1は切断されても切断されていなくてもよい。このようにして、所望形状に切断された電気絶縁シート20上に、第一グランド電極21及び固定剤層22がこの順序で積層一体化されてなる第一グランド電極シートＢを製造することができる。
【００２１】
そして、第一グランド電極シートＢの固定剤層22上に基材シートB1が剥離可能に貼着されている場合には、基材シートB1を剥離、除去した上で、第一グランド電極シートＢをその固定剤層22を介して圧電シート１の一面に貼着一体化すればよく、第一グランド電極シートＢを圧電シート１の一面に貼着一体化することによって、第一グランド電極21が圧電シート１の一面に積層一体化される。
【００２２】
圧電シート１の他面にはシグナル電極31が積層一体化されている。このシグナル電極31は、シグナル電極シートＣを圧電シート１の他面に貼着一体化することによって圧電シート１の他面に積層一体化されている。
【００２３】
シグナル電極シートＣは、電気絶縁シート30とシグナル電極31と固定剤層32とがこの順序で積層一体化されており、電気絶縁シート30、シグナル電極31及び固定剤層32が全て同一形状、同一大きさに形成されている。そして、シグナル電極シートＣをその固定剤層32により圧電シート１の他面に貼着一体化することによって、シグナル電極31が圧電シート１の他面に積層一体化されている。
【００２４】
シグナル電極シートＣも第一グランド電極シートＢと同様の要領で製造される。先ず、図８及び図９に示したように、一面に離型処理が施された合成樹脂シートなどからなる基材シートC1の離型処理面C1aに、固定剤層となる粘着剤層C2と、シグナル電極となるシグナル電極層C3と、電気絶縁シートC4とをこの順序で互いに積層一体化させた積層シートC’を製造する。なお、基材シートC1の離型処理面C1aと、粘着剤層C2とは剥離可能に積層されている。シグナル電極層C3と電気絶縁シートC4とは粘着剤層（図示せず）を介して積層一体化されていてもよい。
【００２５】
しかる後、電気絶縁シートC4側から基材シートC1に向かって切断刃によって所望形状に切断する。この際、基材シートC1は切断されても切断されていなくてもよい。このようにして、所望形状に切断された電気絶縁シート30上に、シグナル電極31及び固定剤層32がこの順序で積層一体化されてなるシグナル電極シートＣを製造することができる。
【００２６】
シグナル電極シートＣは、電極シートの厚み方向（平面）に見たとき、平面矩形状の互いに隣接する角部が切りかかれて切欠き部C6、C6が形成され、平面凸字状に形成されており、切欠き部C6、C6間に突部C5が形成されている。
【００２７】
シグナル電極シートＣの固定剤層32上に基材シートC1が剥離可能に貼着されている場合には、基材シートC1を剥離、除去した上で、シグナル電極シートＣをその固定剤層32を介して圧電シート１の他面に貼着一体化すればよく、シグナル電極シートＣを圧電シート１の他面に貼着一体化することによって、シグナル電極31が圧電シート１の他面に積層一体化される。
【００２８】
更に、圧電シート１の他面に積層一体化されたシグナル電極31上には第二グランド電極41が積層一体化されている。この第二グランド電極41は、第二グランド電極シートＤを圧電シート１のシグナル電極シートＣ上に貼着一体化することによって圧電シート１の他面に積層一体化されている。
【００２９】
第二グランド電極シートＤは下記の要領で製造される。先ず、図６及び図７に示したように、一面に離型処理がされた合成樹脂シートなどからなる基材シートD1の離型処理面D1aに、固定剤層となる粘着剤層D2と、第二グランド電極となる第二グランド電極層D3と、電気絶縁シートD4とをこの順序で互いに積層一体化させた積層シートD’を製造する。なお、基材シートD1の離型処理面D1aと、粘着剤層D2とは剥離可能に積層されている。第二グランド電極層D3と電気絶縁シートD4とは粘着剤層（図示せず）を介して積層一体化されていてもよい。
【００３０】
しかる後、電気絶縁シートD4側から基材シートD1に向かって切断刃によって所望形状に切断する。この際、基材シートD1は切断されても切断されていなくてもよい。このようにして、所望形状に切断された電気絶縁シート40上に、第二グランド電極41及び固定剤層42がこの順序で積層一体化されてなる第二グランド電極シートＤを製造することができる。
【００３１】
第一、第二グランド電極シートＢ、Ｄには、その角部を除いた端縁に開口する切欠き部B1、D1が形成されており、第一、第二グランド電極シートＢ、Ｄは、その厚み方向に見て凹字状に形成されている。第一、第二グランド電極シートＢ、Ｄは共に、第一、第二グランド電極シートＢ、Ｄの厚み方向に見て同一形状、同一大きさに形成されている。
【００３２】
なお、電気絶縁シートB4(20)、C4(30)、D4(40)は、電気絶縁性を有しておれば、特に限定されず、例えば、ポリエチレンテレフタレートシート、ポリエチレンナフタレートシート、ポリ塩化ビニルシートなどが挙げられる。
【００３３】
固定剤層22、32、42を構成している固定剤は、反応系・溶剤系・水系・ホットメルト系の接着剤又は粘着剤から構成されており、圧電シート１の感度を維持する観点から、誘電率の低い固定剤が好ましい。
【００３４】
電極層と電気絶縁シートとを積層一体化させる方法、即ち、電気絶縁シート上に電極層を形成する方法としては、例えば、（１）電気絶縁シート上に、バインダー中に導電性微粒子を含有させてなる導電ペーストを塗布、乾燥させて、電気絶縁シート上に電極層を形成する方法、（２）電気絶縁シート上に蒸着によって電極層を形成する方法、（３）電気絶縁シート上に、銅箔、アルミニウム箔などの金属シートを電極層として接着剤などを介して積層一体化する方法などが挙げられる。
【００３５】
圧電シート１の一面に第一グランド電極シートＢが積層一体化され且つ圧電シート１の他面にシグナル電極シートＣ及び第二グランド電極シートＤがこの順序で積層一体化されており、この状態において、第一グランド電極シートＢと第二グランド電極シートＤとは圧電シート１の厚み方向に略合致した状態で重なり合っている。
【００３６】
そして、シグナル電極シートＣは、第一、第二グランド電極シートＢ、Ｄ及びこれらの切り込み部B1、D1を含めた矩形状体間に介在した状態で配設されており、電極シートＢ〜Ｄの厚み方向に見たとき、第一、第二グランド電極シートＢ、Ｄの切り込み部B1、D1内にシグナル電極シートＣの突部C5が互いに接触しないように配設された状態となっており、第二グランド電極シートＤの第二グランド電極41と、シグナル電極シートＣのシグナル電極31とは電気的に断絶された状態となっている。
【００３７】
図３及び図４に示したように、シグナル電極シートＣと第二グランド電極シートＤとは互いに隣接した状態で配設されている。
【００３８】
一方、シグナル電極シートＣ及び第二グランド電極シートＤは、上述したように、基材シートの離型処理面に、固定剤層となる粘着剤層と、電極となる電極層と、電気絶縁シートとをこの順序で互いに積層一体化させた積層シートを用意し、この積層シートの粘着剤層、電極層及び電気絶縁シートを切断刃によって電気絶縁シート側から基材シートに向かって所望形状に切断することによって製造されている。
【００３９】
しかるに、切断刃を用いて積層シートを切断して電極シートを製造するにあたって、電極層にはその厚み方向に切断刃による剪断応力が加えられる。積層シートの電極層は比較的、軟らかい材料から形成されていることが多いため、積層シートの切断面、即ち、得られる電極シートの切断端面に、切断された電極層、即ち、電極の一部が切断刃による剪断応力によって伸ばされて付着した状態となっていることがある。
【００４０】
電極シートの切断端面に電極の一部が付着した状態となっていると、互いに隣接して配設されているシグナル電極シートと第二グランド電極シートとの間において、シグナル電極シートの切断端面と第二グランド電極シートの切断端面とが交差する部分にて、シグナル電極シートの切断端面に付着したシグナル電極と、第二グランド電極シートの切断端面に付着した第二グランド電極との間に短絡が生じる虞れがある。シグナル電極シートの切断端面に付着したシグナル電極と、第二グランド電極シートの切断端面に付着した第二グランド電極とが短絡を生じると、圧電シート１にて発生した電位をシグナル電極を通じて取り出すことができない。
【００４１】
そこで、本発明では、シグナル電極シートＣの切断端面と、第二グランド電極シートＤの切断端面とが交差する部分Ｆにおいて、シグナル電極シートＣと第二グランド電極シートＤとの間に電気絶縁シートＥを介在させて、シグナル電極シートの切断端面に付着したシグナル電極と、第二グランド電極シートの切断端面に付着した第二グランド電極との間に短絡を生じるのを防止している。シグナル電極シートＣの切断端面と、第二グランド電極シートＤの切断端面とが交差する部分Ｆに少なくとも電気絶縁シートＥが介在しておればよく、シグナル電極シートＣの切断端面と第二グランド電極シートＤの切断端面とが交差する部分Ｆとこの交差する部分Ｆの近傍部とを含む部分に電気絶縁シートＥを介在させておいてもよい。
【００４２】
上記電気絶縁シートＥは、電気絶縁性を有しておれば、特に限定されず、例えば、ポリエチレンテレフタレートシート、ポリエチレンナフタレートシート、ポリ塩化ビニルシートなどが挙げられる。
【００４３】
又、電気絶縁シートＥの片面に粘着剤E1を積層一体化させてシグナル電極シートＣ又は第二グランド電極シートＤの何れか一方に貼着一体化させてもよい。なお、粘着剤としては、圧電シート１の感度を維持する観点から、誘電率の低い固定剤が好ましい。
【００４４】
上記圧電センサＡを使用するには、第一グランド電極21に導電線を電気的に接続する。第一グランド電極21に導電線を電気的に接続する方法としては、例えば、第一グランド電極21の切欠き部B1に隣接する角部にピアス端子を打ち込み、第一、第二グランド電極21、41をシグナル電極31と電気的に接続させることなく互いに電気的に接続させ、このピアス端子を介して第一、第二グランド電極21、41に導電線を電気的に接続する方法などが挙げられる。第一グランド電極21に接続させた導電線を介して第一グランド電極21にアースをとることによって第一グランド電極21を基準電極とする。
【００４５】
一方、シグナル電極31に導電線を電気的に接続する。シグナル電極31に導電線を電気的に接続する方法としては、例えば、シグナル電極シートＣの突部C5にピアス端子を打ち込み、ピアス端子を介してシグナル電極31の突部に導電線を電気的に接続する方法が挙げられる。
【００４６】
そして、第一グランド電極21を基準電極として、シグナル電極31を通じて圧電シートにて発生した電位を取り出すことができる。
【符号の説明】
【００４７】
１     圧電シート
21     第一グランド電極
31     シグナル電極
41     第二グランド電極
Ａ     圧電センサ
Ｂ     第一グランド電極シート
Ｃ     シグナル電極シート
Ｄ     第二グランド電極シート
Ｅ     電気絶縁シート
Ｆ     シグナル電極シートの端面と第二グランド電極シートの端面との交差部分
【図１】
2015017855.tif 000003
【図２】
2015017855.tif 000004
【図３】
2015017855.tif 000005
【図４】
2015017855.tif 000006
【図５】
2015017855.tif 000007
【図６】
2015017855.tif 000008
【図７】
2015017855.tif 000009
【図８】
2015017855.tif 000010
【図９】
2015017855.tif 000011